(57)【要約】【課題】記憶媒体にバックアップされた画像がどの場所で撮影されたものであるかを容易に把握する。【解決手段】ＣＤ−Ｒディスク５４にバックアップされた画像データのＥｘｉｆ付属情報から取得した撮影位置情報の緯度経度を地図データの位置座標に変換し、変換した位置座標に該当する画素上に撮影場所を示すマークを付したマーク付き地図データを作成し、ＣＤ−Ｒディスク５４のレーベル面５４ａにマーク付きの地図をレーベル印刷するから、どこで撮影された画像がＣＤ−Ｒディスク５４にバックアップされているかをユーザーが一目で把握することができる。【選択図】図７
2010160601.tif 000002
【特許請求の範囲】
【請求項１】
入力された画像データを記憶媒体にバックアップするバックアップ手段と、
前記記憶媒体にバックアップされる画像データの画像の撮影場所に関する位置情報を取得する位置情報取得手段と、
地図データを記憶する記憶手段と、
前記取得された位置情報に基づいて前記記憶された地図データの対応する位置に画像の撮影場所を示すマークを付したマーク付き地図データを作成する地図データ作成手段と、
前記作成されたマーク付き地図データを出力する地図データ出力手段と
を備える画像形成装置。
【請求項２】
請求項１記載の画像形成装置であって、
前記記憶媒体は、画像形成面を有し、
前記地図データ出力手段は、前記マーク付き地図データに基づいて前記記憶媒体の画像形成面にマーク付き地図画像を形成する手段である
画像形成装置。
【請求項３】
請求項２記載の画像形成装置であって、
バックアップ時に前記記憶媒体を受けるバックアップ用媒体受けと、
画像形成時に前記記憶媒体を受ける画像形成用媒体受けと、
画面を表示可能な表示手段と、
前記バックアップ手段による画像データのバックアップが終了したときに、前記バックアップ用媒体受けから画像データがバックアップされた記憶媒体を取り外して前記画像形成用媒体受けに前記画像形成面を上側に向けてセットする指示を表示するよう前記表示手段を制御する表示制御手段と
を備え、
前記地図データ出力手段は、前記画像形成用媒体受けに前記記憶媒体がセットされたときに該記憶媒体の画像形成面に前記マーク付き地図画像を形成する手段である
画像形成装置。
【請求項４】
前記地図データ出力手段は、前記マーク付き地図データを前記記憶媒体にバックアップされた画像データの先頭に記憶する手段である請求項１記載の画像形成装置。
【請求項５】
請求項１記載の画像形成装置であって、
非接触でデータの記憶と読み取りとが可能な無線ＩＣタグに記憶されたデータを読み取る読取装置を備え、
前記記憶媒体は、前記画像データがバックアップされるバックアップ領域とは別に前記無線ＩＣタグを有し、
前記地図データ出力手段は、前記マーク付き地図データを前記記憶媒体の無線ＩＣタグに記憶する手段である
画像形成装置。
【請求項６】
前記地図データ作成手段は、前記バックアップ手段による画像データのバックアップ時に前記マーク付き地図データを作成する手段である請求項１ないし５いずれか１項に記載の画像形成装置。
【発明の詳細な説明】
【技術分野】
【０００１】
本発明は、画像形成装置に関する。
【背景技術】
【０００２】
従来、この種の画像形成装置としては、画像データがバックアップされたＣＤ−Ｒのレーベル面にバックアップデータに関する情報を印刷するものが提案されている（例えば、特許文献１参照）。この装置では、バックアップデータに関する情報としてバックアップされた複数の画像の中から選択した一つの画像を印刷することにより、どのような画像がＣＤ−Ｒにバックアップされているかをユーザーが把握できるとしている。
【先行技術文献】
【特許文献】
【０００３】
【特許文献１】特開２００６−３３８８０６号公報
【発明の概要】
【発明が解決しようとする課題】
【０００４】
しかしながら、上述した画像形成装置では、選択した画像を一つだけ印刷するものであるため、例えば様々な場所に旅行して撮影された画像データが一つのＣＤ−Ｒにまとめてバックアップされたようなときには、レーベル面に印刷される画像とは全く異なる場所で撮影された画像がバックアップされることになる。このため、ユーザーはレーベル面に印刷された画像を見ただけではどのような画像がバックアップされているのかを把握することが困難な場合がある。
【０００５】
本発明の画像形成装置は、どこで撮影された画像がバックアップされているかをユーザーが容易に把握することを主目的とする。
【課題を解決するための手段】
【０００６】
本発明の画像形成装置は、上述の主目的を達成するために以下の手段を採った。
【０００７】
本発明の画像形成装置は、
入力された画像データを記憶媒体にバックアップするバックアップ手段と、
前記記憶媒体にバックアップされる画像データの画像の撮影場所に関する位置情報を取得する位置情報取得手段と、
地図データを記憶する記憶手段と、
前記取得された位置情報に基づいて前記記憶された地図データの対応する位置に画像の撮影場所を示すマークを付したマーク付き地図データを作成する地図データ作成手段と、
前記作成されたマーク付き地図データを出力する地図データ出力手段と
を備えることを要旨とする。
【０００８】
この本発明の画像形成装置では、バックアップ手段により記憶媒体にバックアップされた画像データの画像の撮影場所に関する位置情報を取得し、取得した位置情報に基づいて地図データの対応する位置に画像の撮影場所を示すマークを付したマーク付き地図データを作成して出力する。この結果、どこで撮影された画像が記憶媒体にバックアップされているかをユーザーが容易に把握することができる。
【０００９】
こうした本発明の画像形成装置において、前記記憶媒体は、画像形成面を有し、前記地図データ出力手段は、前記マーク付き地図データに基づいて前記記憶媒体の画像形成面にマーク付き地図画像を形成する手段であるものとすることもできる。こうすれば、ユーザーはバックアップされている画像の撮影場所を一目で把握することができる。この態様の本発明の画像形成装置において、バックアップ時に前記記憶媒体を受けるバックアップ用媒体受けと、画像形成時に前記記憶媒体を受ける画像形成用媒体受けと、画面を表示可能な表示手段と、前記バックアップ手段による画像データのバックアップが終了したときに、前記バックアップ用媒体受けから画像データがバックアップされた記憶媒体を取り外して前記画像形成用媒体受けに前記画像形成面を上側に向けてセットする指示を表示するよう前記表示手段を制御する表示制御手段とを備え、前記地図データ出力手段は、前記画像形成用媒体受けに前記記憶媒体がセットされたときに該記憶媒体の画像形成面に前記マーク付き地図画像を形成する手段であるものとすることもできる。こうすれば、マーク付き地図画像が記憶媒体に形成されるようユーザーに促すことができる。
【００１０】
また、本発明の画像形成装置において、前記地図データ出力手段は、前記マーク付き地図データを前記記憶媒体にバックアップされた画像データの先頭に記憶する手段であるものとすることもできる。こうすれば、簡易な処理によりマーク付き地図データを出力することができる。
【００１１】
さらに、本発明の画像形成装置において、非接触でデータの記憶と読み取りとが可能な無線ＩＣタグに記憶されたデータを読み取る読取装置を備え、前記記憶媒体は、前記画像データがバックアップされるバックアップ領域とは別に前記無線ＩＣタグを有し、前記地図データ出力手段は、前記マーク付き地図データを前記記憶媒体の無線ＩＣタグに記憶する手段であるものとすることもできる。こうすれば、読取装置による読取可能な範囲内に記憶媒体がセットされれば、記憶媒体に記憶されたマーク付き地図データを読み取って利用することができる。
【００１２】
また、本発明の画像形成装置において、前記地図データ作成手段は、前記バックアップ手段による画像データのバックアップ時に前記マーク付き地図データを作成する手段であるものとすることもできる。こうすれば、バックアップ処理と並行して効率よくマーク付き地図データを作成することができる。
【図面の簡単な説明】
【００１３】
【図１】マルチファンクションプリンター１０の概略構成を示す外観図。
【図２】マルチファンクションプリンター１０のブロック図。
【図３】バックアップ処理ルーチンの一例を示すフローチャート。
【図４】地図データｍｐの一例を示す説明図。
【図５】マーキング処理ルーチンの一例を示すフローチャート。
【図６】マーク付きの地図データＭｍｐの一例を示す説明図。
【図７】マーク付きの地図がレーベル印刷された様子を示す説明図。
【図８】変形例のマルチファンクションプリンター１０Ａのブロック図。
【図９】変形例のマーク付きの地図データＭｍｐ１を示す説明図。
【発明を実施するための形態】
【００１４】
次に、本発明の実施の形態を図面に基づいて説明する。図１は本発明の印刷装置の一実施形態であるマルチファンクションプリンター１０の概略構成を示す外観図、図２はマルチファンクションプリンター１０のブロック図である。
【００１５】
本実施形態のマルチファンクションプリンター１０は、図１および図２に示すように、筐体１４の背面から給紙された用紙にインクジェット方式による印刷を行ない筐体１４の前面に設けられた排出口１８から印刷された用紙を排出するプリンターユニット２０と、筐体１４の上面に嵌め込まれた原稿台３１に載置された原稿を読み取るスキャナーユニット３０と、メモリーカードスロット４２に挿入されたメモリーカード４４とのデータの入出力を司るメモリーカードコントローラー４０と、ディスクスロット５２に挿入されたＣＤ−ＲやＤＶＤ−Ｒ、ＣＤ−ＲＷなどのディスク状の記憶媒体（以下、ＣＤ−Ｒディスク５４とする）との間でデータの入出力を行なうＣＤ／ＤＶＤドライブユニット５０と、各種情報を表示部６２に表示したりユーザーの指示をボタン群６４の操作を介して入力したりする操作パネル６０と、装置全体の制御を司るメインコントローラー７０とを備える。このマルチファンクションプリンター１０は、プリンターユニット２０やスキャナーユニット３０，メモリーカードコントローラー４０，ＣＤ／ＤＶＤドライブユニット５０，メインコントローラー７０がバス１２を介して各種制御信号やデータのやり取りができるよう構成されている。
【００１６】
プリンターユニット２０は、プリンターＡＳＩＣ２２とプリンターエンジン２４とを備える。プリンターＡＳＩＣ２２は、プリンターエンジン２４を制御する集積回路であり、メインコントローラー７０から印刷指令を受けると、印刷指令の対象となる画像ファイルに基づいて用紙に印刷するようプリンターエンジン２４を制御する。プリンターエンジン２４は、印刷ヘッドから用紙へインクを吐出することにより印刷を行なう周知のインクジェット方式のカラープリンター機構として構成されている。このプリンターユニット２０は、ＣＤ−Ｒディスク５４のレーベル面５４ａを上向きとして印刷用トレイ２６に載せて所定位置にセットしてレーベル面５４ａに印刷するレーベル印刷機能を有する。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナーユニット３０は、スキャナーＡＳＩＣ３２とスキャナーエンジン３４とを備える。スキャナーＡＳＩＣ３２は、スキャナーエンジン３４を制御する集積回路であり、メインコントローラー７０からのスキャン指令を受けると、原稿台３１に載置された原稿を画像データとして読み取るようスキャナーエンジン３４を制御する。また、スキャナーエンジン３４は、周知のイメージスキャナーとして構成され、原稿に向かって発光したあとの反射光をレッド（Ｒ）、グリーン（Ｇ）、ブルー（Ｂ）の各色に分解してスキャンデータとする周知のカラーイメージセンサーを備えている。
【００１８】
メモリーカードコントローラー４０は、メモリーカードスロット４２に挿入されたメモリーカード４４との間でデータの入出力を行なうものである。このメモリーカードコントローラー４０は、メモリーカードスロット４２にメモリーカード４４が接続されているとき、メモリーカード４４に保存されているファイルを読み出してメインコントローラー７０に送信したりメインコントローラー７０からの命令を入力し該命令に基づいてメモリーカード４４にデータを書き込んだりする。メモリーカード４４に保存されているファイルには、画像データ本体や画像データ本体を縮小したサムネイル画像データ、画素数や撮影日時，撮影位置情報，絞り値，画像データサイズなどの画像に関する情報であるＥｘｉｆ付属情報などがある。撮影位置情報は、画像が撮影された場所の緯度と経度とからなる位置情報であり、ＧＰＳ（Global Positioning System）機能を搭載したデジタルカメラにおいてＧＰＳ機能がオンされた状態で画像が撮影されたときにＥｘｉｆ付属情報中に保存されるものである。
【００１９】
ＣＤ／ＤＶＤドライブユニット５０は、マルチファンクションプリンター１０の前面側に開口したディスクスロット５２に挿入されたＣＤ−Ｒディスク５４との間でデータの入出力を行なうものである。このＣＤ／ＤＶＤドライブユニット５０は、ディスクスロット５２にＣＤ−Ｒディスク５４が挿入されているとき、メインコントローラー７０からの指令を入力し該指令に基づいてＣＤ−Ｒディスク５４にデータを書き込んだり、ＣＤ−Ｒディスク５４からデータを読み出してメインコントローラー７０に送信したりする。
【００２０】
操作パネル６０は、表示部６２とボタン群６４とを備える。表示部６２は、液晶ディスプレイであり、メニューの選択や設定を行なう各種操作画面などが表示される。また、ボタン群６４は、電源をオンオフするための電源ボタンや印刷などの処理を実行するスタートボタン，選択された処理をキャンセルしたり一つ前の画面に戻る戻るボタン，各種モードを選択するモード選択ボタンなどがあり、内部通信インターフェース７９を介してメインコントローラー７０にユーザーの指示を入力できるようになっている。ここで、モード選択ボタンにより選択可能なモードとしては、原稿台３１にセットした原稿をスキャンしてコピーするコピーモードやメモリーカード４４に記憶された画像を用いて印刷したり原稿をスキャンしてデータ化してメモリーカード４４に保存するメモリーカードモード，メモリーカード４４のデータを読み取ってＲＡＭ７６のバッファに蓄積しながらＣＤ−Ｒディスク５４に書き込んで保存するバックアップモード，印刷用トレイ２６に載せてマルチファンクションプリンター１０の所定の位置にセットされたＣＤ−Ｒディスク５４のレーベル面５４ａに印刷するレーベル印刷モードなどがある。
【００２１】
メインコントローラー７０は、ＣＰＵ７２を中心とするマイクロプロセッサとして構成されており、各種処理プログラムや各種データ、各種テーブルなどを記憶したＲＯＭ７４と、一時的にスキャンデータや印刷データ、メモリーカード４４から読み取ったデータなどの各種データを記憶するＲＡＭ７６と、電気的に書き換え可能で電源を切ってもデータは保持されるフラッシュメモリー７８と、操作パネル６０との通信を可能とする内部通信インターフェース７９とを備え、これらはバス１２を介して互いに信号のやり取りが可能なように接続されている。このメインコントローラー７０は、プリンターユニット２０やスキャナーユニット３０，メモリーカードコントローラー４０，ＣＤ／ＤＶＤドライブユニット５０からの各種動作信号や各種検出信号を入力したり、操作パネル６０のボタン群６４の操作に応じて発生する操作信号を入力したりする。また、画像データを用紙に印刷する指令やＣＤ−Ｒディスク５４のレーベル面５４ａに印刷する指令をプリンターユニット２０に出力したり、メモリーカード４４から画像ファイルを読み出してメインコントローラー７０へ出力する指令をメモリーカードコントローラー４０に出力したり、メモリーカード４４からデータを読み出しＲＡＭ７６のバッファに一時的に蓄積しながらＣＤ−Ｒディスク５４に書き込む指令をＣＤ／ＤＶＤドライブユニット５０に出力したり、操作パネル６０に表示部６２の制御指令を出力したりする。
【００２２】
次に、こうして構成された本実施形態のマルチファンクションプリンター１０の動作、特に、メモリーカード４４の画像データをＣＤ−Ｒディスク５４にバックアップする際の動作について説明する。図３は、マルチファンクションプリンター１０のＣＰＵ７２により実行されるバックアップ処理ルーチンの一例を示すフローチャートである。このルーチンは、メモリーカード４４がメモリーカードスロット４２に挿入され、ボタン群６４の操作によりバックアップモードが選択されたときに実行される。
【００２３】
このルーチンが実行されると、マルチファンクションプリンター１０のＣＰＵ７２は、まず、ユーザーにＣＤ−Ｒディスク５４をＣＤ／ＤＶＤドライブユニット５０のディスクスロット５２に挿入するよう促す図示しないセット指示画面を表示部６２に表示して（ステップＳ１００）、ＣＤ−Ｒディスク５４がセットされるのを待つ（ステップＳ１１０）。ＣＤ−Ｒディスク５４がセットされると、メモリーカード４４に保存されている画像データのうちＣＤ−Ｒディスク５４にバックアップするバックアップ対象の画像を選択する図示しないバックアップ対象画像選択画面を操作パネル６０の表示部６２に表示する（ステップＳ１２０）。このバックアップ対象画像選択画面では、メモリーカード４４に保存されている画像のサムネイル画像データが一覧表示され、ユーザーはボタン群６４を操作してバックアップ対象の画像を選択することができる。バックアップ対象の画像が選択されてスタートボタンが押下されると（ステップＳ１３０）、選択されたバックアップ対象の画像のバックアップ処理を開始して（ステップＳ１４０）、地図データｍｐを入力する（ステップＳ１５０）。この地図データｍｐの一例を図４に示す。この地図データｍｐは、緯度ａ０〜ａ１度，経度ｂ０〜ｂ１度の範囲をもって縦方向にｎ個，横方向にｍ個の画素から構成された日本地図のデータでありＲＯＭ７４に記憶されるものとした。地図データｍｐにおける画素の位置座標は、画像の左下隅を原点（０，０）としたＸＹ座標系で表され、右方向をＸ座標の正方向，上方向をＹ座標の正方向とする。このため、例えば、図中右下隅の画素の位置座標は座標（ｍ，０）となり、図中左上隅の位置座標は座標（０，ｎ）となる。地図データｍｐを入力すると、画像撮影場所のマーキング処理を実行する（ステップＳ１６０）。ここで、バックアップ処理ルーチンの説明を中断して、マーキング処理について説明する。図５は、マーキング処理ルーチンの一例を示すフローチャートである。
【００２４】
マーキング処理ルーチンが実行されると、マルチファンクションプリンター１０のＣＰＵ７２は、まず、最初にバックアップする画像を処理対象画像に選定し（ステップＳ３００）、処理対象画像のＥｘｉｆ付属情報に撮影位置情報が含まれるか否かを判定する（ステップＳ３１０）。撮影位置情報が含まれるときには、撮影位置情報の緯度経度（緯度Ａと経度Ｂ）を入力し（ステップＳ３２０）、入力した緯度Ａと経度Ｂとを次式（１），（２）により地図データｍｐにおけるＸＹ座標系の位置座標に変換する（ステップＳ３３０）。なお、数式中の関数「INT」は、与えられた数値以下の整数で最も大きいものを返す端数処理を行なうものである。例えば、地図データｍｐの経度ｂ０〜ｂ１が東経１２０〜１５０度であって横（Ｘ座標）方向の画素数ｍが値１００個であるときに、撮影位置情報として入力された経度Ｂが１３１度５４分００秒であった場合、経度Ｂを１０進法の表記である１３１．９度として式（１）に代入すると式(B-b0)/((b1-b0)/m)が値３９．６６・・・となりＸ座標は値３９とされる。なお、Ｙ座標の値についても同様に算出される。このようにして撮影位置情報の緯度経度を地図データｍｐにおけるＸＹ座標系の位置座標に変換すると、該当する位置座標の画素上に撮影場所を示すマークを配置してマーキングする（ステップＳ３４０）。こうして地図データｍｐにマーキングしたときあるいはステップＳ３１０で処理対象画像に撮影位置情報が含まれていないと判定したときには、バックアップ対象の画像の全てを処理対象画像に選定したか否かを判定し（ステップＳ３５０）、選定していないときには次にバックアップする画像を処理対象画像に選定して（ステップＳ３６０）、ステップＳ３１０以降の処理を繰り返し、全ての画像を選定したときには、本ルーチンを終了する。このように、バックアップ処理と並行してマーク付き地図データを作成するので、効率よくマーク付き地図データを作成することができる。本ルーチンにより作成されたマーク付き地図データＭｍｐの一例を図６に示す。図示するように、記憶媒体にバックアップされる画像の撮影場所が地図上にマーキングされる。なお、本実施例では、撮影場所を認識しやすいよう赤色の丸印でマーキングするものとした。
【００２５】
X=INT((B-b0)/((b1-b0)/m))  (1)
Y=INT((A-a0)/((a1-a0)/n))  (2)
【００２６】
図３のバックアップ処理ルーチンに戻って、こうしてマーキング処理が実行されると、バックアップ処理の完了を待って（ステップＳ１７０）、ＣＤ−Ｒディスク５４をＣＤ／ＤＶＤドライブユニット５０のディスクスロット５２から排出し（ステップＳ１８０）、マーク付き地図データがあるか否かを判定する（ステップＳ１９０）。前述したように、マーキング処理において撮影位置情報が含まれたバックアップ対象画像があるときにはマーク付き地図データが作成される。このため、ステップＳ１９０でマーク付き地図データがあると判定され、排出されたＣＤ−Ｒディスク５４を取り外しレーベル面５４ａを上にして印刷用トレイ２６に載せ所定位置にセットしてからレーベル印刷を指示するスタートボタンを押すよう促す図示しないレーベル印刷指示画面を表示部６２に表示して（ステップＳ２００）、スタートボタンが押下されるのを待つ（ステップＳ２１０）。ユーザーによりスタートボタンが押下されると、マーク付き地図データＭｍｐに基づいてＣＤ−Ｒディスク５４のレーベル面５４ａにレーベル印刷を実行して（ステップＳ２２０）、本ルーチンを終了する。なお、前述したマーキング処理においてＥｘｉｆ情報に撮影位置情報が含まれたバックアップ対象画像が一つもなかったときにはステップＳ１９０でマーク付き地図データがないと判定され、そのまま本ルーチンを終了する。また、ステップＳ２１０でユーザーがレーベル印刷を望まずキャンセルボタンなどが押下されたときにもそのまま本ルーチンを終了する。ＣＤ−Ｒディスク５４にマーク付きの地図がレーベル印刷された様子を図７に示す。図示するように、レーベル面５４ａに撮影場所がマーキングされた地図が印刷されるため、どこで撮影された画像がＣＤ−Ｒディスク５４にバックアップされているかをユーザーが一目で把握することができる。このため、例えば、様々な場所に旅行したときに撮影した画像がまとめてバックアップされたＣＤ−Ｒディスク５４が複数枚あるようなときでも、それぞれどこで撮影された画像がバックアップされているかを把握してＣＤ−Ｒディスク５４を識別することができる。
【００２７】
ここで、本実施形態の構成要素と本発明の構成要素との対応関係を明らかにする。本実施形態の図３のバックアップ処理ルーチンのステップＳ１００〜１４０の処理を実行するメインコントローラー７０が本発明の「バックアップ手段」に相当し、図５のマーキング処理ルーチンのステップＳ３２０の処理を実行するメインコントローラー７０が「位置情報取得手段」に相当し、地図データｍｐを記憶するＲＯＭ７４が「記憶手段」に相当し、図３のバックアップ処理ルーチンのステップＳ１５０〜１６０の処理や図５のマーキング処理ルーチンのステップＳ３００〜３１０，Ｓ３３０〜３６０の処理を実行するメインコントローラー７０が「地図データ作成手段」に相当し、図３のバックアップ処理ルーチンのステップＳ２１０〜２２０の処理を実行するメインコントローラー７０が「地図データ出力手段」に相当する。また、ＣＤ／ＤＶＤドライブユニット５０のディスクスロット５２が「バックアップ用媒体受け」に相当し、印刷用トレイ２６が「画像形成用媒体受け」に相当し、操作パネル６０の表示部６２が「表示手段」に相当し、図３のバックアップ処理ルーチンのステップＳ２００の処理を実行するメインコントローラー７０が「表示制御手段」に相当する。
【００２８】
以上詳述した本実施形態のマルチファンクションプリンター１０によれば、ＣＤ−Ｒディスク５４にバックアップされた画像データのＥｘｉｆ付属情報から取得した撮影位置情報の緯度Ａ，経度Ｂを地図データｍｐのＸＹ座標系の位置座標に変換し、変換した位置座標に該当する画素上に撮影場所を示すマークを付したマーク付き地図データＭｍｐを作成し、ＣＤ−Ｒディスク５４のレーベル面５４ａにマーク付きの地図をレーベル印刷するから、どこで撮影された画像がＣＤ−Ｒディスク５４にバックアップされているかをユーザーが一目で把握することができる。
【００２９】
なお、本発明は上述した実施態様に何ら限定されることはなく、本発明の技術的範囲に属する限り種々の態様で実施し得ることはいうまでもない。
【００３０】
例えば、上述した実施形態では、マーク付き地図データＭｍｐの出力先としてマーク付きの地図をレーベル印刷するものとしたが、これに限られず、マーク付き地図データＭｍｐを保存するものとしてもよい。例えば、バックアップ対象画像と共にＣＤ−Ｒディスク５４に保存するものとしてもよいし、ＣＤ−Ｒディスク５４として無線でデータの送受信が可能なＩＣタグ８４が取り付けられたものを用いてＩＣタグ８４に保存するものとしてもよい。前者の場合、図３に示すバックアップ処理ルーチンにおいて、ステップＳ１６０のマーキング処理の後にマーク付き地図データＭｍｐをＣＤ−Ｒディスク５４にバックアップした画像データの先頭に保存する保存処理を実行するものとすればよい。これにより、マーク付き地図データＭｍｐを簡易な処理で出力することができる。なお、このとき、ステップＳ１９０〜Ｓ２２０のレーベル印刷に関する処理は省略してもよい。また、画像データの先頭にマーク付き地図データＭｍｐを保存するので、ＣＤ−Ｒディスク５４の保存データを読み込んだときにどこで撮影された画像がバックアップされているかを迅速に把握することができる。一方、後者の場合のマルチファンクションプリンター１０Ａのブロック図を図８に示す。図示するように、図２のブロック図の構成に加えてＩＣタグ８４へのデータの保存と読み取りとが可能な無線ＩＣリーダー・ライター８０を備える。この無線ＩＣリーダー・ライター８０は、ＣＤスロット５２に挿入されたＣＤ−Ｒディスク５４であっても印刷トレイ２６に載置されたＣＤ−Ｒディスク５４であってもメインコントローラー７０からの指令を入力し該指令に基づいて図示しないアンテナから所定の波長を用いてＩＣタグ８４にデータを送信したりアンテナで受信したデータをメインコントローラー７０に送信したりすることができるよう構成されている。そして、図３に示すバックアップ処理ルーチンにおいて、ステップＳ１６０のマーキング処理の後にマーク付き地図データＭｍｐを無線ＩＣリーダー・ライター８０によりＩＣタグ８４へ送信して保存する保存処理を実行するものとすればよい。なお、ステップＳ１９０〜Ｓ２２０のレーベル印刷に関する処理は省略してもよいし、ＩＣタグ８４に保存したマーク付き地図データＭｍｐを無線ＩＣリーダー・ライター８０により読み取ってレーベル印刷するものとしてもよい。また、バックアップ後のレーベル印刷処理を省略した場合であっても、ＣＤ−Ｒディスク５４にレーベル印刷すべきマーク付き地図データＭｍｐは、ＩＣタグ８４に保存されているから、無線ＩＣリーダー・ライター８０によりマーク付き地図データＭｍｐを読み取ってレーベル印刷することができる。即ち、バックアップ処理後に直ちにレーベル印刷しない場合であっても、ＩＣタグ８４に保存したマーク付き地図データＭｍｐを読み取ってユーザーの都合のよいときにレーベル印刷をすることができる。このため、例えば、複数枚のＣＤ−Ｒディスク５４にバックアップ処理を実行する場合に、バックアップ処理をまとめて実行してからレーベル印刷処理をまとめて実行するなど効率のよい処理が可能となる。
【００３１】
上述した実施形態では、撮影位置情報の緯度経度（緯度Ａ，経度Ｂ）をＸＹ座標系における位置座標に変換する際にINT関数を用いて小数点以下を切り捨てるものとしたが、小数点以下を切り上げるものとしたり小数第１位を四捨五入するものとしてもよい。また、撮影位置情報の緯度経度をＸＹ座標系における位置座標に変換して該当する位置座標の画素を求めるものに限られず、予め各画素毎に緯度経度の範囲を定めておき入力された撮影位置情報の緯度経度が該当する範囲の画素を求めるものとしてもよい。
【００３２】
上述した実施形態では、赤色の丸印でマーキングするものとしたが、赤色のみに限られることなく、また、一色だけでなく複数色を用いてマーキングするものとしてもよい。例えば、撮影位置情報の緯度経度に対応する画素上に最初にマーキングするときには白色や黄色，水色などの比較的薄い色でマーキングしておき、再び同じ画素上にマークするときには赤色や青色，黒色などの比較的濃い色でマーキングするものなどとしてもよい。こうすれば、複数の画像が撮影された場所と一枚の画像のみが撮影された場所とを区別して地図上にマーキングすることができる。
【００３３】
上述した実施形態では、撮影位置情報の緯度経度に対応する位置にマーキングするものとしたが、撮影位置情報の緯度経度に基づいて都道府県毎に画像の数をカウントしその結果をマーキングするものとしてもよい。この場合、各都道府県の緯度経度の範囲を定めてＲＯＭ７４に記憶しておき、入力された撮影位置情報の緯度経度がいずれの都道府県に該当するかを判定し、該当すると判定した都道府県のカウンタ値を値１ずつインクリメントして都道府県毎の画像数をカウントするものなどとすればよい。こうしてカウントしたカウント結果を基に作成されるマーク付きの地図データＭｍｐ１の一例を図９に示す。図示するように、カウントした結果を棒グラフ状に表示すると共にカウンタ値の高いものほど濃い色としている。なお、棒グラフ状に表示するものに限られずカウンタ値の数値をそのまま表示するものとしたり都道府県の領域を塗りつぶすものとしてもよいし、棒グラフの色も一色のみとしてもよい。
【００３４】
上述した実施形態では、ディスク状の記憶媒体であるＣＤ−Ｒディスク５４にバックアップするものとしたが、これに限られず、画像データをバックアップ可能な記憶媒体であればよく、例えば、ＵＳＢフラッシュメモリなどとしてもよい。
【００３５】
上述した実施形態では、地図データｍｐとして日本地図を用いたが、これに限られず、都道府県別の地図などを用いるものとしてもよい。また、国内の地図に限られず、世界地図や各国別の地図、ヨーロッパやアジアなど地域別の地図を用いるものとしてもよい。
【符号の説明】
【００３６】
１０，１０Ａ  マルチファンクションプリンター、１２  バス、２０  プリンターユニット、２２  プリンターＡＳＩＣ、２４  プリンターエンジン、２６  印刷用トレイ、３０  スキャナーユニット、３１  原稿台、３２  スキャナーＡＳＩＣ、３４  スキャナーエンジン、４０  メモリーカードコントローラー、４２  メモリーカードスロット、４４  メモリーカード、５０  ＣＤ／ＤＶＤドライブユニット、５２  ディスクスロット、５４  ＣＤ−Ｒディスク、５４ａ  レーベル面、６０  操作パネル、６２  表示部、６４  ボタン群、７０  メインコントローラー、７２  ＣＰＵ、７４  ＲＯＭ、７６  ＲＡＭ、７８  フラッシュメモリー、７９  内部通信インターフェース、８０  無線ＩＣリーダー・ライター  ８４  ＩＣタグ。
【図１】
2010160601.tif 000003
【図２】
2010160601.tif 000004
【図３】
2010160601.tif 000005
【図４】
2010160601.tif 000006
【図５】
2010160601.tif 000007
【図６】
2010160601.tif 000008
【図７】
2010160601.tif 000009
【図８】
2010160601.tif 000010
【図９】
2010160601.tif 000011